(57)【要約】      （修正有）【課題】全ての指から一度の作業で容易に取り外すことができる手袋を提供する。【解決手段】少なくとも複数の指部の指先部分が切断された手袋本体３と、切断された指部の先端に接続された取外用部材５と、を備え、取外用部材５は、指部の先端に接続された接続部と、手で把持する把持部と、接続部と把持部を連結する連結部と、を有し、把持部は、手袋本体３の甲の部分に係着させることで収納できることを特徴とする。【選択図】図１
0003178289.tif 000002
【実用新案登録請求の範囲】
【請求項１】
少なくとも複数の指部の指先部分が切断された手袋本体と、切断された前記指部の先端に接続された取外用部材と、を備え、
前記取外用部材は、前記指部の先端に接続された接続部と、手で把持する把持部と、前記接続部と把持部を連結する連結部と、を有することを特徴とする手袋。
【請求項２】
前記把持部は、未使用時に前記手袋本体の甲の部分に係着可能とされていることを特徴とする請求項１に記載の手袋。
【請求項３】
前記把持部は、前記手袋本体の甲の部分に面ファスナーにより係着可能とされていることを特徴とする請求項１又は請求項２に記載の手袋。
【請求項４】
前記接続部は、柔軟性を有した素材で形成された舌片とされ、該舌片の一部が前記指部の先端近傍の内側に固定されており、
前記把持部は、柔軟性を有した素材で形成されたフラップとされ、
前記連結部は、弾性を有した素材で形成されており、前記舌片と前記フラップとを連結していることを特徴とする請求項１乃至請求項３のいずれか１項に記載の手袋。
【請求項５】
前記接続部と把持部と連結部は、柔軟性を有した素材で一体形成されていることを特徴とする請求項１乃至請求項３のいずれか１項に記載の手袋。
【請求項６】
前記取外用部材と前記手袋本体とが一体形成されていることを特徴とする請求項１乃至請求項３のいずれか１項に記載の手袋。
【考案の詳細な説明】
【技術分野】
【０００１】
本考案は、手から容易に取り外すことができる手袋に関する。
【背景技術】
【０００２】
特定の指の先端だけ切断されたものや、全ての指の先端が切断されたものなど、多種の指先開放型の手袋がある。この指先開放型の手袋は、取り外すときに指先が無いため指の関節に引っかかり、非常に取り外しにくいという問題点がある。そこで、容易に取り外すことができる指先開放型の手袋の提案が多々なされている。
【０００３】
例えば、実用新案登録文献１では、指通し部分の先端に引っ張り用のベロを設け、このベロを引っ張ることで指通し部分から容易に指を抜くことができる手袋の提案がなされている。また、実用新案登録文献２では、指通し部分の先端に人差し指から小指まで連続したヒレを設け、このヒレを引っ張ることで４本の指を同時に指通し部分から抜くことができる手袋の提案がなされている。
【先行技術文献】
【特許文献】
【０００４】
【特許文献１】実開平６−３７３２０号公報
【特許文献２】特開平９−４９１０９号公報
【考案の概要】
【考案が解決しようとする課題】
【０００５】
上述したように、指通し部分から指を容易に抜くことができる手袋の提案が多々なされているが、いずれも、全ての指を一度に抜くことはできなかった。また、上記特許文献２の提案では、各指がヒレによって連結されるため、各指の動作の自由を奪う虞がある。
【０００６】
本考案は、これらの問題点に鑑みてなされたものであり、手から容易に取り外すことができる手袋を提供することを目的としている。
【課題を解決するための手段】
【０００７】
本考案の手袋は、少なくとも複数の指部の指先部分が切断された手袋本体と、切断された前記指部の先端に接続された取外用部材と、を備え、前記取外用部材は、前記指部の先端に接続された接続部と、手で把持する把持部と、前記接続部と把持部を連結する連結部と、を有することを特徴とする。
【０００８】
また、本考案の手袋において、前記把持部は、未使用時に前記手袋本体の甲の部分に係着可能とされていることを特徴とする。
【０００９】
さらに、本考案の手袋において、前記把持部は、前記手袋本体の甲の部分に面ファスナーにより係着可能とされていることを特徴とする。
【００１０】
また、本考案の手袋において、前記接続部は、柔軟性を有した素材で形成された舌片とされ、該舌片の一部が前記指部の先端近傍の内側に固定されており、前記把持部は、柔軟性を有した素材で形成されたフラップとされ、前記連結部は、弾性を有した素材で形成されており、前記舌片と前記フラップとを連結していることを特徴とする。
【００１１】
なお、前記接続部と把持部と連結部は、柔軟性を有した素材で一体形成された手袋としてもよい。
【００１２】
また、前記取外用部材と前記手袋本体とを一体形成したものとすることもできる。
【考案の効果】
【００１３】
本考案によれば、手袋本体の指部の先端に接続された取外用部材を備えることにより、全ての指から一度の作業で容易に取り外すことができる手袋を提供できる。
【図面の簡単な説明】
【００１４】
【図１】本考案の実施形態における手袋の正面図である。
【図２】上記手袋の正面模式図である。
【図３】取外用部材を手袋本体から外した状態における上記手袋の正面模式図である。
【図４】上記手袋を手に嵌めた状態を示す正面模式図である。
【図５】上記手袋を手から取り外す方法に関する説明図である。
【図６】上記手袋を手から取り外す方法に関する説明図である。
【図７】他の実施形態における手袋の正面模式図である。
【考案を実施するための形態】
【００１５】
以下、本考案の実施形態を図に基づいて詳細に述べる。図１は、本実施形態における手袋１の正面図（手の甲側から見た図）である。図１に示すように、手袋１は、手袋本体３と、手袋本体３の指先に接続された取外用部材５と、を備える。この手袋１は、取外用部材５を使用することにより使用者の手に嵌めた手袋本体３を容易に取り外すことができることを特徴とする。以下、手袋１について詳細に述べるが、図１以外の図面は説明のため模式的に示したものを使用する。また、以下の説明において手の甲側を正面、手の平側を背面として述べる。
【００１６】
図２は手袋１の正面図であり、図３は取外用部材５を展開させた状態の手袋１の正面図であり、図４は手袋１を手１００に嵌めた状態での正面図である。手袋本体３は、図２及び図３に示すように、手の甲や手の平部分を覆う手部３１と、手部３１から延在する５本の指部である親指部３３ａ、人差し指部３３ｂ、中指部３３ｃ、薬指部３３ｄ、小指部３３ｅと、を備える。
【００１７】
手部３１の正面側（手の甲側の面）の手首近傍位置には、手１００に嵌めたときに手首で固定するための固定具３４が設けられている。また、手部３１の正面側中央近傍（手の甲の中央近傍）には、後述する取外用部材５のフラップ５２に設けられた面ファスナー７３が係着される面ファスナー３５が貼付されている。さらに、親指部３３ａの付け根近傍には、後述するフラップ５２に設けられた面ファスナー７４が係着される面ファスナー３６が貼付されている。なお、面ファスナーは貼付に限定されず、縫い付けるなどしてもよく、以下の説明において同様である。
【００１８】
各指部３３ａ〜３３ｅは、指の第二関節から先の部分が切断されている。各指部３３ａ〜３３ｅの先端近傍であって正面側（手の甲側の面）には、後述する取外用部材５の舌片５１ａ〜５１ｅに設けられた面ファスナー６２ａ〜６２ｅに係着する面ファスナー３７ａ〜３７ｅが貼付されている。
【００１９】
取外用部材５は、各指部３３ａ〜３３ｅの先端内側に接続された接続部としての舌片５１ａ〜５１ｅと、手袋本体３を手から外すときに把持する把持部としてのフラップ５２と、各舌片５１ａ〜５１ｅとフラップ５２とを繋ぐ連結部としてのゴム紐５３と、を備える。
【００２０】
舌片５１ａ〜５１ｅは、布生地などの柔軟性を有した素材で形成されている。この舌片５１ａ〜５１ｅは、一端が手袋本体３の各指部３３ａ〜３３ｅの先端内側であって正面側に縫い付けるなどして固定されている。また、舌片５１ａ〜５１ｅは、他端（開放された側の端部）に折り返されて形成される折返し部を備え、この折返し部にゴム紐５３が通る穴が形成されている。さらに、折返し部には面ファスナー６２ａ〜６２ｅが貼付されている。
【００２１】
フラップ５２は、布生地などの柔軟性を有した素材で形成されている。このフラップ５２は、手袋本体３の手部３１の正面、すなわち、手の甲側に係着される甲部７１と、甲部７１から親指部３３ａ方向に延在し親指部３３ａに係着される延在部７２と、を備える。甲部７１及び延在部７２には、布生地などを縫い付けることによりゴム紐５３が通る複数の穴が形成されている。また、甲部７１には、手袋本体３の面ファスナー３５に係着する面ファスナー７３が貼付され、延在部７２には、手袋本体３の面ファスナー３６に係着する面ファスナー７４が貼付されている。
【００２２】
ゴム紐５３は、舌片５１ａ〜５１ｅに設けられた穴とフラップ５２に設けられた穴を交互に通すことにより舌片５１ａ〜５１ｅとフラップ５２を連結しており、ゴム紐５３の両端はフラップ５２に固定されている。なお、ゴム紐５３は、必ず一本で構成する必要はなく、各舌片５１ａ〜５１ｅとフラップ５２とを連結することができれば特に限定されるものではない。
【００２３】
次に、手袋１の使用方法について述べる。手袋１を嵌めるときや手袋１を装着しているとき取外用部材５は、図４に示すように、手袋本体３の面ファスナーに取外用部材５の面ファスナーを係着させることにより手袋本体３に係着された状態となっている。そして、手袋１を手１００から取り外す場合、フラップ５２を把持して図５及び図６に示すように手袋本体３の各指部３３ａ〜３３ｅの指先方向に引っ張る。フラップ５２を指先方向へ引っ張ると、各舌片５１ａ〜５１ｅによって各指部３３ａ〜３３ｅが先端側（手１００の指先方向）へと引っ張られるため、手袋本体３が手１００から外れる。
【００２４】
このように本実施の形態における手袋１は、取外用部材５を備えることにより容易に取りはずことができる。また、取外用部材５は、全ての指部３３ａ〜３３ｅに接続されているため、一度の作業で全ての指から容易に取り外すことができる手袋１を提供できる。さらに、取外用部材５は、未使用時に手の甲の部分に係着されているため、手の甲の保護を図ることができる。
【００２５】
なお、上述した実施の形態では、取外用部材５を舌片５１ａ〜５１ｅとフラップ５２とゴム紐５３とにより構成していたが、図７に示すように、全てを一体に形成したものとしてもよい。すなわち、本実施形態における取外用部材５は、上記把持部としてのフラップ５２と、フラップ５２と各指部３３ａ〜３３ｅの先端との間を繋ぐ上記接続部及び連結部としての接続片８１ａ〜８１ｅと、を備え、フラップ５２と接続片８１ａ〜８１ｅとが一枚の布生地などにより一体に形成されている。
【００２６】
また、これまで述べた実施の形態では、取外用部材５を手袋本体３と異なる部材により形成していたが、取外用部材５と手袋本体３とを一体形成してもよい。
【００２７】
そして、本考案は、以上の実施の形態に限定されるものではなく、考案の趣旨を逸脱しない範囲であらゆる設計変更が可能である。例えば、これまで述べた実施の形態では、手袋本体３の全ての指部３３ａ〜３３ｅが先端を切断されたものを用いているが、一部のみ切断されたものにも同様の構成を適用でき、また、指先を切断されていない手袋にも適用可能である。さらに、上述した実施の形態では、取外用部材５を手袋本体３に係着させるために面ファスナーを用いているが、粘着性部材を用いるなど取外用部材５を手袋本体３に係着させることができ、かつ、容易に取り外すこともできれば特に限定されるものではない。また、手袋本体３や取外用部材５の素材は、布生地に限定されるものではなく、革、皮革、樹脂など、手袋として採用されているあらゆる素材でも同様の効果を得ることができる。
【産業上の利用可能性】
【００２８】
本考案の手袋は、釣り用手袋、ドライバーズ手袋、ゴルフ用手袋など、指先開放型の様々な手袋で利用可能である。また、取外用部材を設けて簡単に脱げるという考案の特徴は、五本足ソックス、ブーツなど、体に密着して脱ぎにくい様々な着衣に適用することができる。
【符号の説明】
【００２９】
１  手袋
３  手袋本体
５  取外用部材
３１  手部
３３ａ〜３３ｅ  指部
３４  固定具
３５  面ファスナー
３６  面ファスナー
３７ａ〜３７ｅ  面ファスナー
５１ａ〜５１ｅ  舌片
５２  フラップ
５３  ゴム紐
６２ａ〜６２ｅ  面ファスナー
７１  甲部
７２  延在部
７３  面ファスナー
７４  面ファスナー
８１ａ〜８１ｅ  接続片
１００  手
【図１】
0003178289.tif 000003
【図２】
0003178289.tif 000004
【図３】
0003178289.tif 000005
【図４】
0003178289.tif 000006
【図５】
0003178289.tif 000007
【図６】
0003178289.tif 000008
【図７】
0003178289.tif 000009
【手続補正書】
【提出日】平成24年7月19日(2012.7.19)
【手続補正１】
【補正対象書類名】明細書
【補正対象項目名】０００３
【補正方法】変更
【補正の内容】
【０００３】
例えば、特許文献１では、指通し部分の先端に引っ張り用のベロを設け、このベロを引っ張ることで指通し部分から容易に指を抜くことができる手袋の提案がなされている。また、特許文献２では、指通し部分の先端に人差し指から小指まで連続したヒレを設け、このヒレを引っ張ることで４本の指を同時に指通し部分から抜くことができる手袋の提案がなされている。